(57)【要約】      （修正有）【課題】紛失しにくく、従来よりも低コストで使い勝手の優れた美容用具に関する技術を提供する。【解決手段】台座に着脱自在な美容用具であって、台座の支持部に支持される支点部３５と、支点部を支点として支持部に支持された状態で、やじろべえ状にバランスを取るための錘部と、を備える。また、本発明は、上記の美容用具と、化粧料を収容する容器本体２１と、前記容器本体２１を開閉する蓋部２２と、を備え、前記支持部は、前記容器本体２１又は前記蓋部２２に設けられており、前記支持部に前記美容用具の前記支点部が着脱自在である、美容用具付き化粧料容器２としても特定することができる。【選択図】図１
2019010445.tif 000002
【特許請求の範囲】
【請求項１】
台座に着脱自在な美容用具であって、
前記台座の支持部に支持される支点部と、
前記支点部を支点として前記支持部に支持された状態で、やじろべえ状にバランスを取るための錘部と、
を備える美容用具。
【請求項２】
前記美容用具は、使用者が把持するためのグリップ部を有し、当該グリップ部が前記錘部を兼ねている、
請求項１に記載の美容用具。
【請求項３】
前記美容用具は、一端側に所定の機能を有する機能先端部が設けられた柄部を含み、前記柄部の他端側に使用者が把持するためのグリップ部が延設されている、
請求項１又は２に記載の美容用具。
【請求項４】
前記グリップ部が前記柄部よりも幅広に形成されている、
請求項３に記載の美容用具。
【請求項５】
前記美容用具が平坦面に載置された際に、前記グリップ部が前記平坦面に当接し、前記機能先端部が前記平坦面から離間した状態で載置されるように、前記グリップ部が前記柄部に対して湾曲している、請求項３又は４に記載の美容用具。
【請求項６】
前記柄部の軸線を境にして一方側と他方側にそれぞれ前記グリップ部が延設されている、請求項３から５の何れか一項に記載の美容用具。
【請求項７】
前記美容用具はスパチュラであって、
前記機能先端部は、化粧料をすくうためのヘラ部である、
請求項３から６の何れか一項に記載の美容用具。
【請求項８】
請求項１から７の何れか１項に記載の美容用具と、
化粧料を収容する容器本体と、
前記容器本体を開閉する蓋部と、
を備え、
前記支持部は、前記容器本体又は前記蓋部に設けられており、前記支持部に前記美容用具の前記支点部が着脱自在である、
美容用具付き化粧料容器。
【請求項９】
前記支持部は前記支点部を受け入れる凹部として形成されている、請求項８に記載の美容用具付き化粧料容器。
【請求項１０】
前記容器本体の底部が球面形状を有し、且つ、当該底部に錘が配設されている、請求項８又は９に記載の美容用具付き化粧料容器。
【発明の詳細な説明】
【技術分野】
【０００１】
本発明は、美容用具および美容用具付き化粧料容器に関する。
【背景技術】
【０００２】
保湿クリームやマッサージクリーム等といった比較的粘度の高い化粧料は、一般に広口の容器本体と蓋体とからなる広口容器（いわゆる「ジャー容器」）に充填され、化粧料をすくうためのスパチュラ（ヘラ）と共に包装箱に収容された状態で販売される場合が多い。そして、化粧料を購入した消費者は、包装箱から広口容器やスパチュラを取り出した後、広口容器近傍の適当な場所にスパチュラを置かざるを得ない場合が多く、これに起因してスパチュラを紛失し易いという課題があった。
【０００３】
これに関連して、特許文献１には、化粧料容器の下部を嵌合させる凹部と、化粧品の使用時に用いる化粧道具を差し立てる化粧道具支持孔を有する台座を備えた化粧品保持台が開示されている。
【０００４】
また、特許文献２には、容器本体もしくは蓋体の少なくとも一部に磁石と引き合う強磁性が付与されていると共に補助具に永久磁石特性が付与され、容器本体もしくは蓋体の強磁性部分に補助具の永久磁石特性部分を当接させることにより、補助具を容器本体もしくは蓋体に着脱自在に保持するようにした広口容器が開示されている。
【先行技術文献】
【特許文献】
【０００５】
【特許文献１】実用新案登録第３１９４９４９号公報
【特許文献２】特開２０１６−１６８７９号公報
【発明の概要】
【発明が解決しようとする課題】
【０００６】
特許文献１に開示された化粧品保持台は、台座の支持孔に化粧道具を差し立てることで化粧道具の紛失を起こり難くすることができるものの、台座の支持孔に化粧道具を差し込む手間が煩わしいという課題がある。また、特許文献２に開示された広口容器においては、容器や補助具に磁石特性を付与する必要があり、製造工程が煩雑になり易く、コストが嵩みやすいという課題がある。このような課題は、化粧料容器に付随するスパチュラ（ヘラ）等といった補助具に限られず、美容用具全般に言える。
【０００７】
本発明は、上記の問題に鑑みてなされたものであり、その目的は、紛失しにくく、従来よりも低コストで使い勝手の優れた美容用具に関する技術を提供することにある。
【課題を解決するための手段】
【０００８】
上記課題を解決するため、本発明は、以下の手段を採用した。即ち、本発明は、台座に着脱自在な美容用具であって、前記台座の支持部に支持される支点部と、前記支点部を支点として前記支持部に支持された状態で、やじろべえ状にバランスを取るための錘部と、を備えることを特徴とする。また、本発明は、上記の美容用具と、化粧料を収容する容器本体と、前記容器本体を開閉する蓋部と、を備え、前記支持部は、前記容器本体又は前記蓋部に設けられており、前記支持部に前記美容用具の前記支点部が着脱自在である、美容用具付き化粧料容器としても特定することができる。本発明によれば、紛失しにくく、従来よりも低コストで使い勝手の優れた美容用具や、それを備えた化粧料容器を提供することができる。
【０００９】
また、前記美容用具は、使用者が把持するためのグリップ部を有し、当該グリップ部が前記錘部を兼ねていても良い。これによれば、美容用具のコンパクト化、低コスト化を実現することができる。
【００１０】
また、前記美容用具は、一端側に所定の機能を有する機能先端部が設けられた柄部を含み、前記柄部の他端側に使用者が把持するためのグリップ部が延設されていても良い。これによれば、使い勝手に優れた美容用具を提供することができる。
【００１１】
また、本発明の美容用具において、前記グリップ部が前記柄部よりも幅広に形成されていても良い。このような構成を採用することで、美容用具（グリップ部）をより一層握り易くなり、美容用具を取扱い易くなるという利点がある。
【００１２】
また、前記美容用具が平坦面に載置された際に、前記グリップ部が前記平坦面に当接し、前記機能先端部が前記平坦面から離間した状態で載置されるように、前記グリップ部が前記柄部に対して湾曲していても良い。これによれば、美容用具を化粧台等に仮置きした際、機能先端部が空中に浮かんだ状態となり、化粧台等に接触することを抑制でき、衛生面に優れるという利点がある。ここで、前記美容用具はスパチュラであって、前記機能先端部は、化粧料をすくうためのヘラ部であっても良い。この場合、化粧中に化粧台等へスパチュラを仮置きする際、スパチュラにホコリ等が付着することを抑制できる一方、化粧台等にヘラ部の化粧料が付着することが抑制できる。
【００１３】
また、本発明の美容用具において、前記柄部の軸線を境にして一方側と他方側にそれぞれ前記グリップ部が延設されていても良い。これによれば、使用者の利き手を選ばず、左右いずれの手でも美容用具を握り易いという利点があり、使い勝手という点で非常に優れている。
【００１４】
本発明に係る美容用具付き化粧料容器において、前記支持部は前記支点部を受け入れる凹部として形成されていても良い。また、美容用具付き化粧料容器は、容器本体の底部が球面形状を有し、且つ、当該底部に錘が配設されていても良い。
【発明の効果】
【００１５】
本発明によれば、紛失しにくく、従来よりも低コストで使い勝手の優れた美容用具に関する技術を提供することができる。
【図面の簡単な説明】
【００１６】
【図１】図１は、実施形態１に係るスパチュラ付き化粧料容器１の斜視図である。
【図２】図２は、実施形態１に係る化粧料容器を示す図である。
【図３】図３は、実施形態１に係る縦断面図である。
【図４】図４は、実施形態１に係るスパチュラを示す図である。
【図５】図５は、実施形態１に係るスパチュラを示す図である。
【図６】図６は、実施形態１に係るスパチュラを使用している状態を例示した図である。
【図７】図７は、実施形態１に係る実施形態１に係るスパチュラを平坦面に載置した状態を示す図である。
【図８】図８は、図５に示すスパチュラに対する各変形例の置き換え箇所を説明する図である。
【図９】図９は、実施形態１の第１変形例に係るスパチュラの支点部を示す図である。
【図１０】図１０は、実施形態１の第２変形例に係るスパチュラの支点部を示す図である。
【図１１】図１１は、実施形態１の第３変形例に係るスパチュラの支点部を示す図である。
【図１２】図１２は、実施形態１の第４変形例に係るスパチュラの支点部を示す図である。
【図１３】図１３は、実施形態１の第５変形例に係るスパチュラの支点部を示す図である。
【図１４】図１４は、実施形態１の第６変形例に係るスパチュラの支点部を示す図である。
【図１５】図１５は、実施形態１の第７変形例に係るスパチュラの支点部を示す図である。
【図１６】図１６は、実施形態１の第８変形例に係るスパチュラの支点部を示す図である。
【図１７】図１７は、実施形態１の第９変形例に係るスパチュラの支点部を示す図である。
【図１８】図１８は、実施形態１の第１０変形例に係るスパチュラの支点部を示す図である。
【図１９】図１９は、実施形態１の第１１変形例に係るスパチュラの支点部を示す図である。
【図２０】図２０は、実施形態１の第１２変形例に係るスパチュラの支点部を示す図である。
【図２１】図２１は、実施形態１の第１３変形例に係るスパチュラの支点部を示す図である。
【図２２】図２２は、図２に示す化粧料容器に対する各変形例の置き換え箇所を説明する図である。
【図２３】図２３は、実施形態１の第１変形例に係る化粧料容器の頂部に形成された支持凹部を示す図である。
【図２４】図２４は、実施形態１の第２変形例に係る化粧料容器の頂部に形成された支持凹部を示す図である。
【図２５】図２５は、実施形態１の第３変形例に係る化粧料容器の頂部に形成された支持凹部を示す図である。
【図２６】図２６は、実施形態１の第４変形例に係る化粧料容器の頂部に形成された支持凹部を示す図である。
【図２７】図２７は、実施形態１の第５変形例に係る化粧料容器の頂部に形成された支持凹部を示す図である。
【図２８】図２８は、実施形態１の第６変形例に係る化粧料容器の頂部に形成された支持凹部を示す図である。
【図２９】図２９は、実施形態１の第７変形例に係る化粧料容器の頂部に形成された支持凹部を示す図である。
【図３０】図３０は、実施形態２に係る化粧料容器を示す図である。
【図３１】図３１は、実施形態２の第１変形例に係る化粧料容器の頂部に形成された支持凹部を示す図である。
【図３２】図３２は、実施形態２の第２変形例に係る化粧料容器の頂部に形成された支持凹部を示す図である。
【図３３】図３３は、実施形態２の第３変形例に係る化粧料容器の頂部に形成された支持凹部を示す図である。
【図３４】図３４は、実施形態２の第４変形例に係る化粧料容器の頂部に形成された支持凹部を示す図である。
【図３５】図３５は、実施形態２の第５変形例に係る化粧料容器の頂部に形成された支持凹部を示す図である。
【図３６】図３６は、実施形態２の第６変形例に係る化粧料容器の頂部に形成された支持凹部を示す図である。
【図３７】図３７は、実施形態２の第７変形例に係る化粧料容器の頂部に形成された支持凹部を示す図である。
【図３８】図３８は、化粧料容器おける支持凹部の縁部断面形状を概略的に例示する図である。
【図３９】図３９は、実施形態３に係るスパチュラを示す図である。
【図４０】図４０は、実施形態３の第１変形例に係るスパチュラを示す図である。
【図４１】図４１は、実施形態３の第２変形例に係るスパチュラを示す図である。
【図４２】図４２は、マッサージ用具を、化粧料容器の頂部に支持させた状態を示す図である。
【発明を実施するための形態】
【００１７】
次に、本発明の実施形態について図面に基づいて説明する。但し、以下で説明する実施形態は本発明を実施するための例示であり、本実施形態に記載されている構成要素の寸法、材質、形状、その相対配置等は、特に特定的な記載がない限りは、発明の技術的範囲をそれらのみに限定する趣旨のものではない。
【００１８】
＜実施形態１＞
図１は、実施形態１に係るスパチュラ付き化粧料容器１の斜視図である。実施形態１に係るスパチュラ付き化粧料容器１は、化粧料容器２と、スパチュラ（ヘラ）３を含んでいる。詳しくは後述するが、本実施形態に係る化粧料容器２は、頂部にスパチュラ３を着脱自在に保持する台座としても機能する。
【００１９】
図２および図３は、実施形態１に係る化粧料容器２を示す図である。図２（ａ）は化粧料容器２の正面図、図２（ｂ）は化粧料容器２の右側面図（左側面図）、図２（ｃ）は化粧料容器２の平面（上面）図、図２（ｄ）は化粧料容器２の底面（下面）図、図２（ｅ）は化粧料容器２の全体斜視図、図２（ｆ）は化粧料容器２の部分斜視図を示す。また、図３は、実施形態１に係る化粧料容器２の縦断面図である。
【００２０】
化粧料容器２は、例えば化粧料を収容する広口容器であり、図２および図３に示すように容器本体２１および蓋部２２を有する。蓋部２２は、容器本体２１を開閉するキャップである。図３を参照して容器本体２１および蓋部２２の詳細構造について説明する。容器本体２１は、半球状の外面（以下、「半球外面」という）２３ａを有するお椀型の本体ベース部２３、本体ベース部２３の内部に装着されるリフィル容器２４、リフィル容器２４を本体ベース部２３に取り付けるためのリフィル保持部２５、容器側おもり体２６等を備えている。リフィル容器２４は、有底カップ状の容器であり、内部の充填部２４１に化粧料が充填されている。化粧料の種類は特に限定されないが、例えば保湿クリームやマッサージクリーム等といった比較的粘度の高いクリーム状化粧料が充填されている。リフィル容器２４は、上部開口２４２を有しており、本商品を購入した消費者は、充填部２４１に充填された化粧料を上部開口２４２から取り出すことができる。図３に示す符号２４３は、リフィル容器２４の上部開口２４２を覆うための中蓋である。また、リフィル容器２４の外側面を周回するようにガイドフランジ２４４が設けられている。
【００２１】
リフィル保持部２５は、リフィル容器２４を保持する中空状の収容孔２５１を有する有底筒状部材であり、図３に示すように収容孔２５１にリフィル容器２４を嵌合することでこれを収容、保持している。リフィル保持部２５は、その上端に形成された差し込み片２５２を、リフィル容器２４におけるガイドフランジ２４４の内側に差し込むことで、リフィル保持部２５とリフィル容器２４が一体に係合している。また、リフィル保持部２５は、その底部２５３から円筒状の突出筒片２５４が垂直に向かって突設されている。リフィ
ル保持部２５は、突出筒片２５４の下端を本体ベース部２３の内面に当接させた状態で、本体ベース部２３に位置決め保持されている。
【００２２】
また、リフィル保持部２５における突出筒片２５４の内側には、容器側おもり体２６が配設されている。これにより、容器側おもり体２６が、化粧料容器２の底部に設けられることになる。容器側おもり体２６は、例えば六角ナット等であっても良い。また、リフィル保持部２５の側面には、ディスク状の腕部２５５が側方に向かって突設しており、腕部２５５の外面が本体ベース部２３の上端部内面に対して当接した状態でリフィル保持部２５が本体ベース部２３の内側に装着されている。なお、図２（ａ）、（ｂ）、（ｄ）に示すように、容器本体２１（本体ベース部２３）の底部には、平坦なフラット底面２３ｂが形成されている。フラット底面２３ｂは、比較的小さな平坦面であり、半球外面２３ａとなだらかに接続されている。但し、容器本体２１の形状は特に限定されない。また、本体ベース部２３の底部に平坦なフラット底面２３ｂを形成せず、その全体を半球外面２３ａによって形成しても良い。
【００２３】
蓋部２２は、容器本体２１（本体ベース部２３）と、例えばねじ係合（図示せず）によって係脱自在に一体化されるように構成されている。また、図３における符号２２１は、蓋部２２の内側に配置された押さえ部材であり、蓋部２２を閉めた状態で、押さえ部材２２１がリフィル容器２４の上面を上方から押さえ付けることができる構造となっている。また、蓋部２２の頂部には、スパチュラ３の後述する支点を支持するための支持凹部２７が設けられている。支持凹部２７の形状は種々の変更を加えることができるが、図２（ｆ）に示す例では半球形状の凹部として支持凹部２７が形成されている。なお、図２および図３に示すように、本実施形態における化粧料容器２は、容器本体２１に蓋部２２を閉じた状態で、全体として涙滴型（形状）を呈している。なお、化粧料容器２の各部に用いられる材料は特に限定されない。また、化粧料容器２の形状についても特に限定されない。
【００２４】
次に、スパチュラ３の詳細構造について説明する。図４および図５は、実施形態１に係るスパチュラ３を示す図である。図４（ａ）はスパチュラ３の正面図、図４（ｂ）はスパチュラ３の右側面図、図４（ｃ）はスパチュラ３の平面（上面）図、図４（ｄ）はスパチュラ３の底面（下面）図、図４（ｅ）はスパチュラ３の背面図、図４（ｆ）はスパチュラ３の断面図を示す。また、図５（ａ）、（ｂ）は、実施形態１に係るスパチュラ３の斜視図である。図５（ａ）は、スパチュラ３を平面（上面）側から眺めた状態の斜視図を示し、図５（ｂ）は、スパチュラ３を底面（下面）側から眺めた状態の斜視図を示す。
【００２５】
本実施形態におけるスパチュラ３は、化粧料容器２のリフィル容器２４に収容されている化粧料を掬うための補助具である。また、スパチュラ３は、美容のために用いられる美容用具である。スパチュラ３は、スパチュラ本体３１と、一対のグリップ部３２、３３を含んで構成されている。スパチュラ本体３１は、細長い棒形状を有する柄３４、柄（え）３４の前端側に設けられた支点部３５、柄３４の後端側に設けられたヘラ部３６等を有する。柄３４は、本発明におけるスパチュラの柄部に相当する。また、ヘラ部３６は、化粧料容器２（容器本体２１）に収容されている化粧料をすくうのに適した窪み形状を有している。図４および図５に示すように、ヘラ部３６は、スパチュラ３の底面（下面）側に設けられている。ヘラ部３６は、化粧料容器２（容器本体２１）に収容されている化粧料をすくうための機能を有する部位であり、本発明における機能先端部に相当する。
【００２６】
次に、一対のグリップ部３２、３３について説明する。以下では、符号３２のグリップ部を「第１グリップ部」と呼び、符合３３のグリップ部を「第２グリップ部」と呼ぶ。第１グリップ部３２および第２グリップ部３３は、スパチュラ３の使用者が指で把持する（摘む）ための部位である。図４および図５に示すように、第１グリップ部３２および第２グリップ部３３は、スパチュラ本体３１における柄３４に比べて幅広で扁平な形状を有し
ているため、使用者が把持し易い。よって、使用者がスパチュラ３を用いて化粧料容器２（容器本体２１）の化粧料をヘラ部３６で掬う際に、スパチュラ３が非常に扱い易く、使い勝手に優れるという利点がある。また、本実施形態のスパチュラ３においては、第１グリップ部３２および第２グリップ部３３が、ヘラ部３６との釣り合いを保つための錘としての機能と、使用者がスパチュラ３を摘み易くするための機能とを兼ねているため、スパチュラ３のコンパクト化、低コスト化を実現することができる。
【００２７】
図６は、使用者が指で第２グリップ部３３を把持して、スパチュラ３を使用している状態を例示した図である。本実施形態におけるスパチュラ３は、第１グリップ部３２および第２グリップ部３３が、柄３４のうち、ヘラ部３６とは反対側の端部から延設されているため、第１グリップ部３２および第２グリップ部３３を握り易い。つまり、本実施形態に係るスパチュラ３は非常に化粧料をすくい易く、使い勝手に優れる。
【００２８】
ここで、図４（ｃ）に示す符号Ｘ１は、柄３４の軸線を示したものである。本実施形態においては、柄３４の軸線Ｘ１を境にして一方側（一方の側方）と他方側（他方の側方）にそれぞれグリップ部３２，３３が延設されている。これによれば、使用者の利き手を選ばず、左右いずれの手でもスパチュラ３を握り易いという利点があり、使い勝手という点で非常に優れている。
【００２９】
また、図４（ａ）、（ａ）および図５（ｂ）等に示されるように、本実施形態におけるスパチュラ３は、柄３４に対して、第１グリップ部３２および第２グリップ部３３が、底面（下面）側に向かって湾曲している。その結果、指に第１グリップ部３２（第２グリップ部３３）がフィットし、第１グリップ部３２（第２グリップ部３３）を握り易いという利点がある。これによって、スパチュラ３における柄３４の端部に設けられているヘラ部３６で化粧料をより一層すくい易くなり、スパチュラ３の使い勝手をより一層向上させることができる。
【００３０】
また、図７は、例えば化粧台などの平坦面Ｐ１にスパチュラ３を載置した状態を示す図である。上記のように、本実施形態におけるスパチュラ３は、柄３４を基準にして第１グリップ部３２および第２グリップ部３３がスパチュラ３の底面（下面）側に向かって湾曲している。そのため、第１グリップ部３２および第２グリップ部３３の上面３２ａ，３３ａ側を背にして平坦面Ｐ１に当接させてスパチュラ３を平坦面Ｐ１に載置した場合に、図７に示すようにヘラ部３６が設けられている柄３４の先端側を平坦面Ｐ１から離間した状態、すなわち中空に浮かび上がった状態でスパチュラ３を載置することができる。従って、スパチュラ３のヘラ部３６によって適量の化粧料をすくった状態、すなわち化粧中に化粧台等へスパチュラ３を仮置きした場合、図７に示すようにヘラ部３６が空中に浮かんだ状態となり、化粧台等に接触することを抑制できる。これによれば、スパチュラ３にホコリ等が付着することを抑制できる一方、化粧台等にヘラ部３６の化粧料が付着することが抑制できるため、衛生面に優れるという利点がある。
【００３１】
更に、本実施形態におけるスパチュラ３は、柄３４の重量に比べて、第１グリップ部３２および第２グリップ部３３における重量の和の方が重いため、図７に示すように、第１グリップ部３２および第２グリップ部３３の上面３２ａ，３３ａ側を背にして平坦面Ｐ１に当接させた状態で、安定した姿勢でスパチュラ３を平坦面Ｐ１に載置することができる。従って、平坦面Ｐ１が多少振動したり、スパチュラ３に外力が多少加わったとしても、スパチュラ３の姿勢を図７に示す姿勢に安定して保持することができる。これによれば、化粧台等へのスパチュラ３の仮置き中に、ヘラ部３６が化粧台等に接触することを好適に抑制できる。
【００３２】
次に、化粧料容器２（蓋部２２）の頂部に形成された支持凹部２７へのスパチュラ３の
支持形態について説明する。図４および図５に示すようにスパチュラ３の支点部３５は、先端には尖った先尖状の先尖部３５ａが形成されている。また、図４等における符号３５ｂは、支点部３５の基端部である。支点部３５は、基端部３５ｂから先尖部３５ａに向かってスパチュラ３の底面（下面）側に向かって湾曲しつつ先細り形状となっている。一方、図２（ｆ）に示したように、支持凹部２７は半球形状の凹部として形成されており、スパチュラ３の支点部３５を受け入れることができる。すなわち、化粧料容器２（蓋部２２）の化粧料容器２（蓋部２２）は、スパチュラ３の支点部３５を受け入れる凹部として形成されている。
【００３３】
本実施形態におけるスパチュラ付き化粧料容器１は、スパチュラ３の支点部３５を化粧料容器２（蓋部２２）の頂部に形成された支持凹部２７に支持させることができる。ここで、スパチュラ３は、支点部３５を支点として支持凹部２７に支持された状態で、やじろべえ状にバランスを取るための錘（おもり）部ＷＰが設けられている。本実施形態におけるスパチュラ３では、第１グリップ部３２および第２グリップ部３３が錘部ＷＰを兼ねる構造となっている。第１グリップ部３２および第２グリップ部３３が錘部ＷＰとして機能し、スパチュラ本体３１とバランスをとることで、支持凹部２７に支持された支点部３５を支点としてスパチュラ３が安定した姿勢を保持することができる。本実施形態におけるスパチュラ３は、化粧料容器２（蓋部２２）の頂部に形成された支持凹部２７に支持された状態において、スパチュラ３全体の重心が支点部３５よりも重力方向下方に位置するように調整されており、これによってスパチュラ３の姿勢が安定して保持できる。
【００３４】
従って、スパチュラ３の不使用時においては、化粧料容器２（蓋部２２）に設けられた支持凹部２７に対して、やじろべえ状にバランスを取った状態で支持されるため、スパチュラ３が紛失され難くなる。また、スパチュラ３の支点部３５を支点として化粧料容器２に着脱自在に支持されるため、化粧料容器２に対してスパチュラ３を簡単な動作で着脱でき、手間が掛からず使い勝手に優れている。また、本実施形態におけるスパチュラ付き化粧料容器１によれば、化粧料容器２やスパチュラ３に磁石特性を付与する等、製造時に特別で煩雑な工程を経る必要なく、製造コストも廉価に抑えることができる。以上より、本発明に因れば、紛失しにくく、従来よりも低コストで使い勝手の優れたスパチュラ３（美容用具）およびスパチュラ付き化粧料容器１（美容用具付き化粧料容器）を提供することができる。
【００３５】
なお、本実施形態における化粧料容器２は、容器本体２１の底部に半球外面２３ａが形成されることで球面形状を有し、且つ、容器本体２１の底部に容器側おもり体２６が設けられている。これによれば、平坦面Ｐ１に対して半球外面２３ａが接するように適当な外力を加えて化粧料容器２の姿勢を傾斜させることで、所謂おきあがりこぼし機能によって化粧料容器２が揺れ動く。その際、化粧料容器２に対してスパチュラ３がやじろべえ状に支持されていれば、化粧料容器２に支持されているスパチュラ３が化粧料容器２に対しても相対的に揺動することとなり、スパチュラ付き化粧料容器１の所有者が遊ぶこともできる。また、スパチュラ３を化粧料容器２に保持した状態で審美的要素となり、消費者の購買意欲を向上させることも可能となる。
【００３６】
本実施形態におけるスパチュラ付き化粧料容器１の化粧料容器２およびスパチュラ３は、本発明の要旨を逸脱しない範囲内で種々の変形例を採用することができる。以下、本実施形態におけるスパチュラ付き化粧料容器１の変形例について説明する。図８は、図５に示すスパチュラ３に対する各変形例の置き換え箇所を説明する図である。図９〜図２１は、実施形態１の各変形例に係るスパチュラ３の支点部３５を示す図である。図８に示す破線円で囲まれた領域の各変形例を図９〜図２１に示している。図８の矢印Ａ〜Ｃの各方向から各変形例に係るスパチュラ３の支点部３５を眺めた際の側面図、正面図、底面（下面）図を図９〜図２１に示している。第１〜第１３変形例（図９〜図２１）に示すように、
実施形態１に係るスパチュラ３は、柄３４の端部に種々の形状の支点部３５を形成することができる。
【００３７】
次に、本実施形態における化粧料容器２の各変形例について説明する。図２２は、図２に示す化粧料容器２に対する各変形例の置き換え箇所を説明する図である。（ａ）に全体斜視図を示し、（ｂ）に頂部近傍の拡大斜視図を示す。図２３〜図２９は、実施形態１の各変形例に係る化粧料容器２（蓋部２２）の頂部に形成された支持凹部２７を示す図である。図２２に示す破線円で囲まれた領域の各変形例を、図２３〜図２９に示している。図２３〜図２９において、（ａ）に各変形例に係る化粧料容器２（蓋部２２）の支持凹部２７のＡ−Ｂ矢視断面を示し、（ｂ）に各変形例における支持凹部２７の形状をワイヤーフレームで示す。第１〜第７変形例（図２３〜図２９）に示すように、実施形態１に係る（蓋部２２）に形成される支持凹部２７は、種々の形状を採用することができる。
【００３８】
＜実施形態２＞
上述までの化粧料容器２の各変形例は、支持凹部２７が回転体形状であったが、これに限られない。例えば、図３０に示すように、化粧料容器２の支持凹部２７は押し出し形状であっても良い。図３０は、実施形態２に係る化粧料容器２を示す図である。実施形態２係る化粧料容器２において、実施形態１と共通の構成については同符号を付すことで詳しい説明を省略する。図３０（ａ）は化粧料容器２の正面図、図３０（ｂ）は化粧料容器２の右側面図（左側面図）、図３０（ｃ）は化粧料容器２の平面（上面）図、図３０（ｄ）は化粧料容器２の底面（下面）図、図３０（ｅ）は化粧料容器２の全体斜視図、図３０（ｆ）は化粧料容器２の部分斜視図を示す。
【００３９】
図３０に示す化粧料容器２は、支持凹部２７の形状のみが図２に示す化粧料容器２と相違する。図３０に示すように、実施形態２に係る化粧料容器２の支持凹部２７は、半円柱状（かまぼこ型、半円型）の押し出し形状を有している。このような押し出し形状を有する支持凹部２７によっても、勿論、やじろべえ方式でバランスを取りつつスパチュラ３の支点部３５を支持することができる。
【００４０】
次に、実施形態２における化粧料容器２の各変形例について説明する。図３１〜図３７は、実施形態２に係る化粧料容器２（蓋部２２）の頂部に形成された支持凹部２７の変形例を示す図である。図３１〜図３７において、（ａ）に各変形例に係る化粧料容器２（蓋部２２）の支持凹部２７のＡ−Ｂ矢視断面を示し、（ｂ）に各変形例における支持凹部２７の形状をワイヤーフレームで示す。なお、図３１〜図３７に示す各変形例における支持凹部２７は、図３０（ｆ）に示す破線円で囲まれた支持凹部２７の各変形例を示したものである。第１〜第７変形例（図３０〜図３７）に示すように、実施形態２に係る（蓋部２２）に形成される支持凹部２７は、種々の形状を採用することができる。
【００４１】
また、上述までの実施形態において、化粧料容器２に設けられる支持凹部２７の形状について種々の変形例を説明したが、化粧料容器２の支持凹部２７の縁部形状についても種々の変形例を採用できるのは勿論である。ここで、図３８は、化粧料容器２における支持凹部２７の縁部断面形状を概略的に例示する図である。支持凹部２７を実線にて図示し、支持凹部２７の周囲に形成される縁部２８を破線にて図示する。図３８（ａ）〜（ｄ）に示すように、支持凹部２７の周囲に形成される縁部２８は種々の形状を採用することができる。なお、上述までの実施形態においては、スパチュラ３の支点部３５を支持する支持凹部２７を化粧料容器２の頂部に形成する例を説明したが、支持凹部２７を設ける位置、範囲、大きさ等は特に限定されない。例えば、化粧料容器２における容器本体２１に支持凹部２７を設け、その支持凹部２７にスパチュラ３をやじろべえ状に支持しても良い。
【００４２】
＜実施形態３＞
次に、実施形態３に係るスパチュラ３Ａについて説明する。図３９は、実施形態３に係るスパチュラ３Ａを示す図である。図３９（ａ）にスパチュラ３Ａの底面（下面）図を示し、図３９（ｂ）にスパチュラ３Ａの側面図を示す。図３９に示すように、実施形態３に係るスパチュラ３Ａは、柄３４の一端側にヘラ部３６が形成され、他端側に錘部ＷＰが形成されている。符号３０ａは、スパチュラ３Ａの底面（下面）である。スパチュラ３Ａにおける底面３０ａのうち、柄３４の軸方向の中央部分には、支点部３５が下方に向かって突設されている。また、図示のように、ヘラ部３６は、スパチュラ３Ａの底面（下面）３０ａに形成されている。また、スパチュラ３Ａの錘部ＷＰは、スパチュラ３Ａの支点部３５を化粧料容器２の支持凹部２７に支持させた際に、スパチュラ３Ａがやじろべえ状にバランスを取って安定姿勢を保持できるような重さに調節されている。なお、図３９（ｂ）に示すように、スパチュラ３Ａの柄３４は弓形に湾曲しており、支点部３５を化粧料容器２の支持凹部２７に支持させた際に、やじろべえ状にバランスを取り易くなっている。
【００４３】
また、図４０は、実施形態３の第１変形例に係るスパチュラ３Ｂを示す図である。図４０（ａ）にスパチュラ３Ｂの平面（上面）図を示し、図４０（ｂ）にスパチュラ３Ｂの側面図を示す。スパチュラ３Ｂにおける底面３０ａのうち、柄３４の一端側にヘラ部３６が形成され、柄３４の他端側から支点部３５が下方に向かって突設されている。また、柄３４の他端側には使用者が指で把持するためのグリップ部３２Ａが設けられている。スパチュラ３Ｂは、単一のグリップ部３２Ａを有しており、このグリップ部３２Ａが錘部ＷＰを兼ねている。なお、図４０（ａ）および（ｂ）に示すように、スパチュラ３Ｂにおける柄３４は直線状の軸部材である。図４１は、実施形態３に係る第２変形例に係るスパチュラ３Ｃを示す図である。図４１（ａ）にスパチュラ３Ｃの平面（上面）図を示し、図４１（ｂ）にスパチュラ３Ｃの側面図を示す。第２変形例に係るスパチュラ３Ｃは、柄３４が弓形に湾曲している点を除いて、図４０で説明した第１変形例に係るスパチュラ３Ｂと同一構造である。
【００４４】
なお、上記した種々の内容は、本発明の技術的思想を逸脱しない範囲において可能な限り組み合わせることができ、また、種々の変形例を採用することができる。例えば、上述までの実施形態においては、化粧料容器２に支持凹部２７を設け、スパチュラ３の不使用時においてはスパチュラ３をやじろべえ状に支持する台座として化粧料容器２を用いる場合を例に説明したが、化粧料容器２に代えて、スパチュラ３をやじろべえ状に支持する専用台座に支持凹部２７を設けても良い。また、上述までの実施形態において、スパチュラ３は、台座に対してやじろべえ状にバランスを取って着脱自在な美容用具の一例であって、これに限定されるものではない。このような美容用具の他の例としては、マッサージ用具（カッサ等）、ツボ押し用具、パフ、カミソリ、美容用ハサミ等を例示することができる。すなわち、上述したスパチュラ３におけるヘラ部３６に置き換えて、マッサージ用具のローラー部や、カッサ部を設けても良いし、ツボ押し用具の押圧突起部を設けても良い。この場合、マッサージ用具のローラー部やカッサ部、ツボ押し用具の押圧突起部が、美容用具において所定の機能を有する機能先端部に相当する。図４２は、スパチュラの代わりにカッサ部３７を備えたマッサージ用具３００を、化粧料容器２の頂部に設けられた支持凹部２７に支持させた状態を示す図である。上述までの実施形態と同一の構成については、同一符号を付している。マッサージ用具３００は、ヘラ部３６をカッサ部３７に置き換えている点を除いて、図４、５等に示すスパチュラ３と同一構造となっており、柄３４、支点部３５、第１グリップ部３２、第２グリップ部３３等を備えている。このような構造を有するマッサージ用具３００を、やじろべえ状にバランスを取って台座としての化粧料容器２に支持させても良い。この場合、特に限定されないが、マッサージ用具３００と共に用いるマッサージクリーム等を化粧料容器２の容器本体２１に収容しても良い。
【符号の説明】
【００４５】
１・・・スパチュラ付き化粧料容器
２・・・化粧料容器
３・・・スパチュラ
２１・・・容器本体
２２・・・蓋部
２７・・・支持凹部
３１・・・スパチュラ本体
３２・・・第１グリップ部
３３・・・第２グリップ部
３４・・・柄
３５・・・支点部
３６・・・ヘラ部
【図１】
2019010445.tif 000003
【図２】
2019010445.tif 000004
【図３】
2019010445.tif 000005
【図４】
2019010445.tif 000006
【図５】
2019010445.tif 000007
【図６】
2019010445.tif 000008
【図７】
2019010445.tif 000009
【図８】
2019010445.tif 000010
【図９】
2019010445.tif 000011
【図１０】
2019010445.tif 000012
【図１１】
2019010445.tif 000013
【図１２】
2019010445.tif 000014
【図１３】
2019010445.tif 000015
【図１４】
2019010445.tif 000016
【図１５】
2019010445.tif 000017
【図１６】
2019010445.tif 000018
【図１７】
2019010445.tif 000019
【図１８】
2019010445.tif 000020
【図１９】
2019010445.tif 000021
【図２０】
2019010445.tif 000022
【図２１】
2019010445.tif 000023
【図２２】
2019010445.tif 000024
【図２３】
2019010445.tif 000025
【図２４】
2019010445.tif 000026
【図２５】
2019010445.tif 000027
【図２６】
2019010445.tif 000028
【図２７】
2019010445.tif 000029
【図２８】
2019010445.tif 000030
【図２９】
2019010445.tif 000031
【図３０】
2019010445.tif 000032
【図３１】
2019010445.tif 000033
【図３２】
2019010445.tif 000034
【図３３】
2019010445.tif 000035
【図３４】
2019010445.tif 000036
【図３５】
2019010445.tif 000037
【図３６】
2019010445.tif 000038
【図３７】
2019010445.tif 000039
【図３８】
2019010445.tif 000040
【図３９】
2019010445.tif 000041
【図４０】
2019010445.tif 000042
【図４１】
2019010445.tif 000043
【図４２】
2019010445.tif 000044